(57)【要約】【課題】  縦形ケースの内部に上下方向に延びる中心棒の外側にスクリューのように螺旋羽根を備えた縦形球樋において、中心棒の外側にスクリューのように螺旋羽根を備えた部品を容易に製作可能とする。【解決手段】  縦形ケースの内部に上下方向に延びる中心棒３を設け、中心棒３の周りに上下方向に延びる螺旋羽根４で形成された螺旋スロープ５を備えた遊技機用縦形球樋において、中心棒３と螺旋羽根４とが互いに別々に形成され、これらの中心棒３と螺旋羽根４とが互いに縦形ケースの内部に取付けられた。【選択図】        図１
2005177359.tif 000002
【特許請求の範囲】
【請求項１】
縦形ケースの内部に上下方向に延びる中心棒を設け、中心棒の周りに上下方向に延びる螺旋羽根で形成された螺旋スロープを備えた遊技機用縦形球樋において、中心棒と螺旋羽根とが互いに別々に形成され、これらの中心棒と螺旋羽根とが互いに縦形ケースの内部に取付けられたことを特徴とする遊技機用縦形球樋。
【請求項２】
螺旋スロープが同じ形の複数の螺旋羽根により形成されたことを特徴とする請求項１に記載の遊技機用縦形球樋。
【請求項３】
螺旋羽根の上下端が固定部材により中心棒に位置決め固定されたことを特徴とする請求項１に記載の遊技機用縦形球樋。
【請求項４】
固定部材が、中心棒の軸中心を中心として中心棒の周囲の異なる方向に互いに離れて位置された複数の螺旋羽根の上端同士あるいは下端同士を中心棒に位置決め固定したことを特徴とする請求項３に記載の遊技機用縦形球樋。
【請求項５】
螺旋羽根が金属により形成されたことを特徴とする請求項１に記載の遊技機用縦形球樋。
【発明の詳細な説明】
【技術分野】
【０００１】
本発明は、縦形ケースの内部に上下方向に延びる中心棒の外側にスクリューのように螺旋羽根を備えた縦形球樋において、中心棒の外側にスクリューのように螺旋羽根を備えた部品を容易に製作可能とした縦形球樋に関する。
【背景技術】
【０００２】
縦形ケースの内部に上下方向に延びる中心棒を設け、中心棒の周りに上下方向に延びる螺旋羽根で形成された螺旋スロープを備えた遊技機用縦形球樋が知られている。特許文献１では、中心棒の外側にスクリューのように螺旋羽根を備えた部品の形状は複雑であり、この部品を成形加工や切削加工により形成するためには特殊な技術が必要となる。
【特許文献１】特開２００３−９０４号公報
【発明の開示】
【発明が解決しようとする課題】
【０００３】
発明が解決しようとする問題点は、中心棒の外側にスクリューのように螺旋羽根を備えた部品の形状は複雑であり、この部品の製作には特殊な技術が必要となるため、多大な労力と時間を要し、経済的に不利であるという点である。
【課題を解決するための手段】
【０００４】
本発明の遊技機用縦形球樋は、縦形ケースの内部に上下方向に延びる中心棒を設け、中心棒の周りに上下方向に延びる螺旋羽根で形成された螺旋スロープを備えた遊技機用縦形球樋において、中心棒と螺旋羽根とが互いに別々に形成され、これらの中心棒と螺旋羽根とが互いに縦形ケースの内部に取付けられたことを最も特徴とする。螺旋スロープが同じ形の複数の螺旋羽根により形成されたことや、螺旋羽根の上下端が固定部材により中心棒に位置決め固定されたことや、固定部材が、中心棒の軸中心を中心として中心棒の周囲の異なる方向に互いに離れて位置された複数の螺旋羽根の上端同士あるいは下端同士を中心棒に位置決め固定したことや、螺旋羽根が金属により形成されたことも特徴とする。
【発明の効果】
【０００５】
本発明によれば、中心棒と螺旋羽根とが互いに別々に形成されたので、中心棒の外側にスクリューのように螺旋羽根を備えた部品を容易に製作でき、経済的に有利である。また、同じ形の複数の螺旋羽根を用いて螺旋スロープを形成したので、一形態の螺旋羽根を製作すればよく、螺旋羽根の成形型のコストを削減でき、経済的に有利である。固定部材により、螺旋羽根の上下端を中心棒に正確に位置決め固定できる。固定部材により、複数の螺旋羽根の上端同士、及び下端同士を中心棒の周囲において所定角度隔てた状態に中心棒に正確に位置決め固定できる。螺旋羽根を金属により形成することで、球により螺旋羽根に帯電した静電気を逃がすことが可能となる。
【発明を実施するための最良の形態】
【０００６】
図１−図６は実施形態であって、図１は縦形球樋１の螺旋構成体３０を分解して示し、図２は縦形球樋１を縦方向に切断して示し、図３は縦形球樋１を横樋７と球払出機構１０とに組付けた状態を示し、図４は縦形球樋１の螺旋構成体３０を示し、図５は縦形球樋１の上部連結構造を示し、図６は縦形球樋１の下部連結構造を示す。
【０００７】
図２を参照し、縦形球樋１を説明する。縦形球樋１は、円筒状の縦形ケース２の内部に上下方向に延びる中心棒３を備え、中心棒３の外側にスクリューのように複数の螺旋羽根４；４を備えたことにより、縦形ケース２の内部に上下方向に中心棒３を中心とする螺旋スロープ５が２条形成される。縦形球樋１は図外の遊技機枠の裏面に取付けられる。縦形球樋１の上端の球入口６；６は横樋７の球出口８；８に連設され、縦形球樋１の下端の球出口９；９は払出機構１０の球入口５９に連設され、払出機構１０の球排出口１１と皿装置１２の球入口１３とが球樋１４で連設される。図外のタンクから横樋７に球が供給されて当該球が横樋７、縦形球樋１、払出機構１０、球樋１４を経由して皿装置１２に払出される。
【０００８】
図３に示すように、横樋７は内部に複数の球を一端から他端に向けて誘導しつつ一列に整列する２つの球通路１５；１５を備える。横樋７は、細長い帯状の底板１６と、底板１６の両側縁より上方に立ち上がって平行に相対峙する側壁１７；１７と、底板１６の一端縁より上方に立ち上った一端壁１８と、底板１６の他端縁より上方に立ち上った他端壁１９とにより、上方に開放された箱状に形成される。横樋７の内部には、底板１６の球の流れる方向と直交する方向の中央部に底板１６の一端から他端にかけて延長する仕切壁２０が底板１６より上方に突出して設けられ、この仕切壁２０と側壁１７とで区画された横幅の球通路１５を備える。球通路１５の他端側の底板１６には球出口８が設けられ、球通路１５の他端側には球検出体２１が設けられる。
【０００９】
図１を参照して、縦形球樋１の内部に設けられる螺旋構成体３０を説明する。実施形態の螺旋構成体３０は１つの中心棒３と２つの螺旋羽根４；４と２つの固定部材４０；４０とにより構成される。この中心棒３と螺旋羽根４と固定部材４０とは互いに別々に形成される。例えば、中心棒３は金属丸棒であり両端の上端軸３５、下端軸３６が断面四角形状の異形軸に形成される。螺旋羽根４は合成樹脂等により同一形態に形成される。固定部材４０は合成樹脂等により同一形態に形成される。螺旋羽根４は、中心棒３の外周３１に接触する内周縁３２と螺旋形状の外周縁３３との間の上面で螺旋スロープ５を形成する。中心棒３への螺旋羽根４の組み付けは、例えば、２つの螺旋羽根４；４を重ね合わせた状態で、この重ね合わせた２つの螺旋羽根４；４の一端側から中心棒３の一端に挿入し、中心棒３を中心として螺旋羽根４；４を回転させて、螺旋羽根４；４の内側縁３２を中心棒３の外周３１に接触させて絡ませていきながら螺旋羽根４；４の一端を中心棒３の他端側に進行させていくことにより、中心棒３の外周に複数の螺旋羽根４，４を簡単に取り付けることができる。そして、図４に示すように、２つの螺旋羽根４，４の一方のみをさらに１８０°回転させ、この状態で、中心棒３と複数の螺旋羽根４，４との上下端にそれぞれ固定部材４０を取付ける。
【００１０】
図１に示すように、固定部材４０は、角型異形に形成された中心棒３の上端軸３５あるいは下端軸３６が嵌め込まれる異形孔４１の形成された基板４２を備える。基板４２は異形孔４１が形成された円形部４３と、異形孔４１を中心として１８０°隔てて円形部４３の周囲から互いに反対方向に突出した延設部４４とを備える。延設部４４の側縁及び先端縁には下方に立ち下がる垂下片４５が設けられる。この延設部４４と垂下片４５とで形成された凹部４６内に螺旋羽根４の上端４ａあるいは下端４ｂが嵌め込まれる。即ち、中心棒３の上端軸３５を固定部材４０の異形孔４１に嵌め込み、凹部４６内に螺旋羽根４；４の上端４ａ；４ａを嵌め込む。また、固定部材４０を上下逆にして用い、中心棒３の下端軸３６を固定部材４０の異形孔４１に嵌め込み、凹部４６内に螺旋羽根４；４の下端４ｂ；４ｂを嵌め込む。以上により、螺旋羽根４，４の上下端が中心棒３の両端に正確に位置決め固定され、かつ、螺旋羽根４，４が中心棒３の周囲を回転しないように中心棒３に固定される。即ち、螺旋羽根４，４は中心棒３の周囲を回転しないように、かつ、螺旋羽根４，４の上端縁４ａ同士、及び下端縁４ｂ同士を中心棒３を中心として１８０°の角度を隔てて正確に取付ける必要があるが、接着剤等による位置決めは作業が煩雑となる。また、中心棒３と螺旋羽根４，４とを接着剤などで接着してしまうと、余分な接着剤が球の流れに悪影響を与える可能性があるので好ましくない。そこで、固定部材４０により螺旋羽根４，４の上下端を中心棒３の両端に位置決め固定することで、螺旋羽根４の上端縁４ａ同士、及び下端縁４ｂ同士を中心棒３を中心として１８０°の角度を隔てて正確に位置決め固定でき、また、接着剤を使用した場合のような悪影響をなくすことができる。即ち、固定部材４０が、中心棒３の軸中心を中心として中心棒３の周囲の異なる方向に互いに離れて位置された複数の螺旋羽根４；４の上端４ａ同士あるいは下端４ｂ同士を中心棒３に位置決め固定した。このように、中心棒３と螺旋羽根４と固定部材４０を別々に形成して、これらを互いに組付けることで螺旋構成体３０を容易に形成できる。即ち、中心棒３の外側にスクリューのように複数の螺旋羽根４；４を備えた部品、を容易に製作でき、経済的に有利となる。また、同一形態の複数の螺旋羽根４で複数の螺旋スロープ５を形成できるので、一形態の螺旋羽根４を製作すればよく、螺旋羽根４の製作コストを削減でき、経済的に有利となる。
【００１１】
図５に示すように、縦形ケース２は、円筒を半割りにした半円筒部材５０；５０と組み合わされた半円筒部材５０；５０により形成された円筒の上端側を固定して円筒の上端を塞ぐキャップ５１とより形成される。キャップ５１の中央には中心棒３の上端軸３５を嵌め込む異形孔５２が形成される。また、キャップ５１には、横樋７の球出口８に合致する球入口６が形成される。中心棒３の上端軸３５をキャップ５１の異形孔５２を貫通させて横樋７の球出口部に形成された異形凹部５４に嵌め込むことで、図２に示すように、中心棒３の上端軸３５は横樋７に固定される。
【００１２】
図６に示すように、２つの球払出機構１０；１０のそれぞれの上面６０に形成された球払出機構１０の球入口５９を囲むようにそれぞれ球払出機構１０の上面６０には当該上面６０より突出する半円筒連結部６１；６１が設けられる。また、２つの球払出機構１０の相対向する面６２；６２には当該面６２と上面６０とに開放の図外の凹部が形成される。従って、２つの球払出機構１０；１０の相対向する面６２同士を重ね合わせて凹部を互いに対向させることで中心棒３の下端軸３６を嵌合する図外の嵌合部が形成される。よって、嵌合部に中心棒３の下端軸３６を嵌め込むとともに、縦形ケース２の円筒の下端を半円筒連結部６１；６１で挟み付けた状態で、２つの球払出機構１０；１０を図３の連結部材６５で挟み付けて固定することにより、縦形ケース２の下端及び中心棒３の下端軸３６は２つの球払出機構１０；１０に固定される。
【００１３】
以上により、螺旋構成体３０、即ち、１つの中心棒３の外側に２つの螺旋羽根４；４を備えた部品が縦形ケース２の内部に取付けられ、縦形ケース２の内部に２条の螺旋スロープ５；５が形成される。従って、横樋７の一方の球通路１５を経由して縦形球樋１の一方の球入口６に供給された球は一方の螺旋スロープ５を経由して一方の球払出機構１０に供給される。また、横樋７の他方の球通路１５を経由して縦形球樋１の他方の球入口６に供給された球は他方の螺旋スロープ５を経由して他方の球払出機構１０に供給される。払出機構１０は、図３に示すように、球計数通路６６を通過する球を球検出器６７で検出して計数し、球樋１４に流下させる。
【００１４】
上記螺旋羽根４を金属により形成し、接地させた遊技機の金属部に螺旋羽根４を接続しておけば、球により螺旋羽根４に帯電した静電気を逃がすことができる。
【００１５】
実施形態では中心棒３に対し２つの螺旋羽根４，４を中心棒３の周方向に１８０度ずつ位置をずらせて配置して２条の螺旋スロープを形成したが、３つの螺旋羽根４を中心棒３の周方向に１２０度ずつ位置をずらせて配置すれば３条の螺旋スロープを形成でき、４つの螺旋羽根４を中心棒３の周方向に９０度ずつ位置をずらせて配置すれば４条の螺旋スロープを形成できる。このような場合でも、螺旋羽根４の上下端を上記角度に位置決めする固定部材４０を用いればよい。また、１つの中心棒３と１つの螺旋羽根４と上下の固定部材４０とにより１つの螺旋スロープ５が形成された螺旋構成体３０を縦形ケース２の内部に配置してもよい。
【産業上の利用可能性】
【００１６】
本発明の遊技機用球樋装置は、パチンコ機や、遊技媒体としてパチンコ球を使用するスロットマシン等の遊技機に使用できる。
【図面の簡単な説明】
【００１７】
【図１】縦形球樋の螺旋構成体の分解図。
【図２】縦形球樋を縦方向に切断して示した切断図。
【図３】縦形球樋を横樋と球払出機構とに組付けた状態を示す斜視図。
【図４】縦形球樋の螺旋構成体を示す斜視図。
【図５】縦形球樋の上部連結構造を示す斜視図。
【図６】縦形球樋の下部連結構造を示す斜視図。
【符号の説明】
【００１８】
１  縦形球樋、２  縦形ケース、３  中心棒、４  螺旋羽根、４ａ  螺旋羽根の上端、４ｂ  螺旋羽根の下端、５  螺旋スロープ、４０  固定部材。
【図１】
2005177359.tif 000003
【図２】
2005177359.tif 000004
【図３】
2005177359.tif 000005
【図４】
2005177359.tif 000006
【図５】
2005177359.tif 000007
【図６】
2005177359.tif 000008